(57)【要約】【課題】低消費電力のパケットスイッチ装置及び電力供給抑止方法を提供する【解決手段】第１ポートを介して受信したパケットを第２ポートから送信し、第２ポートを介して受信したパケットを第１ポートから送信するパケットスイッチ装置の電源供給制御方法であって、第１ポートを介して送信されるパケットがスイッチ部１４０に格納されていないことを検出すると、電源制御部１６０は、第１ポートについて電源供給を抑制する制御を実施し、第２ポートを介して送信されるパケットがスイッチ部１４０に格納されていないことを検出すると、電源制御部１６０は、第２ポートについて電源供給を抑制する制御を実施する。【選択図】図１
2014049790.tif 000002
【特許請求の範囲】
【請求項１】
第１ポートを介してパケットを受信する第１受信部と、
前記第１ポートを介してパケットを送信する第１送信部と、
第２ポートを介してパケットを受信する第２受信部と、
前記第２ポートを介してパケットを送信する第２送信部と、
前記第１ポートを介して送受信するパケットのアクセスを管理する第１アクセス管理部と、
前記第２ポートを介して送受信するパケットのアクセスを管理する第２アクセス管理部と、
前記第１アクセス管理部のアクセス管理に基づいて、前記第１受信部が受信したパケットを前記第２送信部へ送り、前記第２アクセス管理部のアクセス管理に基づいて、前記第２受信部が受信したパケットを前記第１送信部へ送るように処理するスイッチ部と、
前記第１ポートを介して送信されるパケットがないことを検出すると、前記第１ポートについて、電源供給を抑制する制御を実施し、前記第２ポートを介して送信されるパケットがないことを検出すると、前記第２ポートについて、電源供給を抑制する制御を実施する電源制御部と、を備えるパケットスイッチ装置。
【請求項２】
前記スイッチ部は、
前記第１ポートを介して受信するパケットを格納する第１ポートメモリ領域と、
前記第２ポートを介して受信するパケットを格納する第２ポートメモリ領域と、
を有し、
前記電源制御部は、
前記第１ポートメモリ領域に格納されるパケットの有無に応じて、前記第１ポートを介して送信されるパケットがないことを検出し、
前記第２ポートメモリ領域に格納されるパケットの有無に応じて、前記第２ポートを介して送信されるパケットがないことを検出することを特徴とする請求項１記載のパケットスイッチ装置。
【請求項３】
前記電源制御部は、
前記第１ポートメモリ領域にパケットが格納されてないことを検出すると、前記パケット送信を停止することを通知する停止パケットを前記第１送信部から送信させ、その後、前記第１受信部と、前記第１ポートを介して対向する第１装置との接続が遮断されたことを検出すると、前記第１アクセス管理部への電源供給を停止させるように制御し、
前記第２ポートメモリ領域にパケットが格納されてないことを検出すると、前記停止パケットを前記第２送信部から送信させ、前記第２受信部と、前記第２ポートを介して対向する第２装置との接続が遮断されたことを検出すると、前記第２アクセス管理部への電源供給を停止させるように制御することを特徴とする請求項２記載のパケットスイッチ装置。
【請求項４】
前記電源制御部は、
前記第１装置から前記停止パケットを受信すると、前記第１ポートを介した前記第１送信部と前記第１装置との接続を遮断するように制御し、
前記第２装置から前記停止パケットを受信すると、前記第２ポートを介した前記第２送信部と前記第２装置との接続を遮断するように制御することを特徴とする請求項３記載のパケットスイッチ装置。
【請求項５】
前記電源制御部は、
前記第１送信部と前記第１装置との接続の遮断を、前記第１ポートメモリ領域に格納するパケットを送信した後に実施するように制御し、
前記第２送信部と前記第２装置との接続の遮断を、前記第２ポートメモリ領域に格納するパケットが送信された後に実施するように制御することを特徴とする請求項４記載のパケットスイッチ装置。
【請求項６】
前記電源制御部は、
前記第１送信部と前記第１装置との接続を遮断した後、前記第１受信部と前記第１装置との接続が遮断されたことを検出すると、前記第１アクセス管理部の電源供給が停止させるように制御し、
前記第２送信部と前記第２装置との接続を遮断した後、前記第２受信部と前記第２装置との接続が遮断されたことを検出すると、前記第２アクセス管理部の電源供給を停止させるように制御することを特徴とする請求項５記載のパケットスイッチ装置。
【請求項７】
前記電源制御部は、前記第１アクセス管理部と前記第２アクセス管理部とへの電源供給が停止されていることを検出すると、前記スイッチ部への電源供給を停止することを特徴とする請求項３乃至６のいずれか一項に記載のパケットスイッチ装置。
【請求項８】
電源制御部は、
前記第１ポートについて電源供給を抑制する制御が実施された後、前記第１受信部がパケットを受信したことを検出すると、前記第１ポートについて電源供給の抑制を解除し、
前記第２ポートについて電源供給を抑制する制御が実施された後、前記第２受信部がパケットを受信したことを検出すると、前記第２ポートについて電源供給の抑制を解除し、
前記電源供給の抑制解除には、スイッチ部への電源供給の抑制の解除を含むことを特徴とする請求項１乃至７記載のいずれか一項にパケットスイッチ装置。
【請求項９】
第１ポートを介して受信したパケットを第２ポートから送信し、第２ポートを介して受信したパケットを第１ポートから送信するパケットスイッチ装置の電源供給制御方法であって、
前記第１ポートを介して送信されるパケットがないことを検出すると、前記第１ポートについて電源供給を抑制する制御を実施し、前記第２ポートを介して送信されるパケットがないことを検出すると、前記第２ポートについて電源供給を抑制する制御を実施する電源供給制御方法。
【請求項１０】
前記パケットスイッチ装置は、
前記第１ポートを介して受信するパケットを格納する第１ポートメモリ領域と、
前記第２ポートを介して受信するパケットを格納する第２ポートメモリ領域と、を有し、
前記第１ポートを介して送信されるパケットがないことの検出は、前記第１ポートメモリ領域に格納されるパケットの有無に応じて判定し、
前記第２ポートを介して送信されるパケットがないことの検出は、前記第２ポートメモリ領域に格納されるパケットの有無に応じて判定することを特徴とする請求項９記載の電源供給制御方法。
【発明の詳細な説明】
【技術分野】
【０００１】
本発明は、パケット伝送に関し、特にパケットスイッチの電源制御方式に関する。
【背景技術】
【０００２】
Ｅｔｈｅｒｎｅｔ（登録商標）伝送方式を用いた基幹ネットワーク網では、複数の伝送経路を選択する際、例えば、パケットスイッチ装置を用いる。このような基幹ネットワーク網において、ルート変更によりパケットが通過しなくなったパケットスイッチ装置や、クライアント装置間でパケット通信が一時的に停止しパケットが通過しなくなったパケットスイッチ装置が存在する。このようなパケットスイッチ装置は未使用状態（パケット導通がない状態）でも使用時に近い電源供給が行われている。
【０００３】
例えば、特許文献１には、システムの消費電力を抑えつつ、パケットスイッチ立ち上げ時間を改善したパケットスイッチの出力ポート電源制御方式が開示されている。
特許文献１では、ポイント・ツー・ポイントのデータ転送を保証するプロトコルを用いる第１の層と、第１の層の上位にありパケットのルーティング機能を実現するためのプロトコルを用いる第２の層からなる通信アーキテクチャを有する。そして、プロトコルスタックを保有している通信アーキテクチャに対応していて、かつ、省電力状態と通常転送可能状態の少なくとも２つの電力状態をとることが可能な複数のポートの電力状態は各々独立して制御可能であるパケットスイッチの出力ポート電源制御方式である。この電源制御方式では、第１の層において、入力されたデータのエラー検証を完了して正当性が確認された状態のデータからルーティング情報を抽出し、抽出されたルーティング情報に対応した出力ポートの第１の層の電力状態を、省電力状態から通常転送可能状態に変更する。
【先行技術文献】
【特許文献】
【０００４】
【特許文献１】特開２００５−０８０１０７号公報
【発明の概要】
【発明が解決しようとする課題】
【０００５】
図６を参照して、関連する技術の実施形態について詳細に説明する。図６では、スイッチ装置Ｂの構成を示しているが、スイッチ装置Ａ及びスイッチ装置Ｃについても同様の構成を有することを前提とする。本構成図は２×２ポートのスイッチ装置例である。スイッチ装置Ａ→スイッチ装置Ｂ（ポート１受信側）→スイッチ装置Ｂ（ポート２送信側）→スイッチ装置Ｃの経路でパケットが導通する場合を用いて説明する。
【０００６】
Ｏ／Ｅ部１ａは、スイッチ装置Ｂのポート９１側の光信号ｍを電気信号に変換する。
ポート１受信側ＰＨＹ／ＭＡＣ部９３Ｒａは、ポート１の受信側のＭＤＩ（媒体依存インターフェース）からＭＩＩ（媒体に依存しないインターフェース）に変換する機能と媒体アクセス制御を行う。
ポート２送信側ＰＨＹ／ＭＡＣ部３Ｔａは、ポート２の送信側の媒体アクセス制御とＭＩＩ（媒体に依存しないインターフェース）からＭＤＩ（媒体依存インターフェース）に変換する機能を行う。
電源制御部９６は、ポート１受信側ＰＨＹ／ＭＡＣ部３Ｒａから出力される出力先ポート２情報ｗに応じて、ポート２送信側ＰＨＹ／ＭＡＣ部３Ｔａ及びＥ／Ｏ部２ｂの電源供給を抑制状態（省電力状態）から抑制解除状態（通常状態）または、抑制解除状態（通常状態）から抑制状態（省電力状態）に信号ｙより変更する。
【０００７】
上述したように、図６のスイッチ装置は、送信ポート先の送信部（ポート２送信側ＰＨＹ／ＭＡＣ部３Ｔｂ、Ｅ／Ｏ部２ｂ）への電源供給を抑制し機能停止を実施することにより省電力を実現する。
図６のスイッチ装置では、送信部のみ機能停止を実施しているため、Ｅｔｈｅｒｎｅｔ（登録商標）伝送のオートネゴシエーション（自動折衝機能）を有する伝送の場合、省電力状態時、信号ｐと信号ｑ間で実施されるオートネゴシエーションにおいてリンク確立が実施できずスイッチ装置Ｃ→スイッチ装置Ｂ（ポート２受信側）→スイッチ装置Ｂ（ポート１送信側）→スイッチ装置Ｃのパケット導通は強制的に停止する。このため、パケット導通がない場合にも電源供給を抑制し機能停止を実施することが困難となる。
【０００８】
また、特許文献１では、システムの消費電力を抑えつつ、パケットスイッチ立ち上げ時間を改善する技術が開示されているが、パケット導通がない場合にも消費電力を抑えることには着目していない。
上述した技術においては、パケット導通がないパケットスイッチ装置においてもパケット導通時に近い電源が供給される。その理由は、何時パケット導通が再開されるか不明のため常時電源供給を実施しているからである。
本発明は、このような事情に鑑みてなされたものであり、低消費電力のパケットスイッチ装置及び電力供給抑止方法を提供することを目的とする。
【課題を解決するための手段】
【０００９】
本発明に係るパケットスイッチ装置の一態様は、第１ポートを介してパケットを受信する第１受信部と、前記第１ポートを介してパケットを送信する第１送信部と、第２ポートを介してパケットを受信する第２受信部と、前記第２ポートを介してパケットを送信する第２送信部と、前記第１ポートを介して送受信するパケットのアクセスを管理する第１アクセス管理部と、前記第２ポートを介して送受信するパケットのアクセスを管理する第２アクセス管理部と、前記第１アクセス管理部のアクセス管理に基づいて、前記第１受信部が受信したパケットを前記第２送信部へ送り、前記第１アクセス管理部のアクセス管理に基づいて、前記第２受信部が受信したパケットを前記第１送信部へ送るように処理するスイッチ部と、前記第１ポートを介して送信されるパケットがないことを検出すると、前記第１ポートについて、電源供給を抑制する制御を実施し、前記第２ポートを介して送信されるパケットがないことを検出すると、前記第２ポートについて、電源供給を抑制する制御を実施する電源制御部と、を備える。
【００１０】
また、本発明に係る電源供給制御方法の一態様は、第１ポートを介して受信したパケットを第２ポートから送信し、第２ポートを介して受信したパケットを第１ポートから送信するパケットスイッチ装置の電源供給制御方法であって、前記第１ポートを介して送信されるパケットがないことを検出すると、前記第１ポートについて電源供給を抑制する制御を実施し、前記第２ポートを介して送信されるパケットがないことを検出すると、前記第２ポートについて電源供給を抑制する制御を実施する。
【発明の効果】
【００１１】
本発明によれば、低消費電力のパケットスイッチ装置及び電力供給抑止方法を提供することが可能となる。
【図面の簡単な説明】
【００１２】
【図１】本発明の一実施形態に係るパケットスイッチ装置の構成例を示すブロック図である。
【図２】本発明の実施形態１のパケットスイッチにおける電源供給抑制方式の構成を示す構成図である。
【図３】実施形態１の電源供給抑制時の動作例を示すフローチャートである。
【図４】実施形態１の電源供給復旧時の動作例を示すフローチャートである。
【図５】本発明の実施形態２のパケットスイッチにおける電源供給抑制方式の構成を示す構成図である。
【図６】関連する電源供給抑制方式の構成を示す構成図である。
【発明を実施するための形態】
【００１３】
以下、実施形態について、図面を参照しながら説明する。説明の明確化のため、以下の記載及び図面は、適宜、省略、及び簡略化がなされている。各図面において同一の構成または機能を有する構成要素および相当部分には、同一の符号を付し、その説明は省略する。
【００１４】
まず、本発明に係るパケットスイッチ装置及び電源供給制御方法の概略を説明する。
図１は、本発明の一実施形態に係るパケットスイッチ装置１００の構成例を示すブロック図である。パケットスイッチ装置１００は、第１受信部１１１、第２受信部１１２、第１送信部１２１、第２送信部１２２、第１アクセス管理部１３１、第２アクセス管理部１３２、スイッチ部１４０、及び電源制御部１６０を備える。
【００１５】
第１受信部１１１は、第１ポートを介してパケットを受信する。
第１送信部１２１は、第１ポートを介してパケットを送信する。
第２受信部１１２は、第２ポートを介してパケットを受信する。
第２送信部１２２は、第２ポートを介してパケットを送信する。
第１アクセス管理部１３１は、第１ポートを介して送受信するパケットのアクセスを管理する。
第２アクセス管理部１３２は、第２ポートを介して送受信するパケットのアクセスを管理する。
【００１６】
スイッチ部１４０は、第１アクセス管理部１３１のアクセス管理に基づいて、第１受信部１１１が受信したパケットを第２送信部１２２へ送るように処理する。また、第２アクセス管理部１３２のアクセス管理に基づいて、第２受信部１１２が受信したパケットを第１送信部１２１へ送るように処理する。
加えて、図１に示す通り、スイッチ部１４０は、第１ポートを格納する第１ポートメモリ領域１４１と、第２ポートを介して受信するパケットを格納する第２ポートメモリ領域１４２とを有する。スイッチ部４は、第１ポートメモリ領域１４１または第２ポートメモリ領域１４２にパケットが格納されていない場合、電源制御部１６０へ通知する。
【００１７】
電源制御部１６０は、第１ポートを介して送信されるパケットがないことを検出すると、第１ポートについて、電源供給を抑制する制御を実施する。また、第２ポートを介して送信されるパケットがないことを検出すると、第２ポートについて、電源供給を抑制する制御を実施する。電源制御部は、第１及び第２ポートメモリ領域１４１、１４２に格納されるパケットの有無に応じて、第１及び第２ポートを介して送信されるパケットがないことを検出する。
【００１８】
具体的には、電源制御部１６０は、第１ポートメモリ領域１４１にパケットが格納されてないことを検出すると、停止パケットを第１送信部１２１から送信させる。停止パケットは、パケット送信を停止することを通知するパケットである。その後、第１受信部１１１と、第１ポートを介して対向する第１装置との接続が遮断されたことを検出すると、第１アクセス管理部１３１への電源供給を停止させるように制御する。対向する第１装置は、例えば、第１ポートを介してパケットを送受信するパケットスイッチ装置である。
電源制御部１６０は、第２ポートメモリ領域１４２にパケットが格納されてないことを検出すると、停止パケットを前記第２送信部から送信させる。第２受信部１１２と、第２ポートを介して対向する第２装置との接続が遮断されたことを検出すると、第２アクセス管理部１３２への電源供給を停止させるように制御する。対向する第２装置は、例えば、第２ポートを介してパケットを送受信するパケットスイッチ装置である。
【００１９】
上述したように、本発明の一実施形態では、スイッチ部１４０の第１ポートメモリ領域１４１、第２ポートメモリ領域１４２のパケットの蓄積状態及び停止パケットの送出および検出、対向するパケットスイッチ装置との接続または接続遮断状態（例えば、光出力状態やパケット同期信号送出状態）の検出を行い。これにより、パケット導通状態を判定し、判定した結果から未使用箇所の回路を停止し省電力を実現する。
スイッチ部１４０の第１ポートメモリ領域１４１、第２ポートメモリ領域１４２のパケットの蓄積状態と停止パケットの受信、対向するパケットスイッチ装置との接続または接続遮断状態からパケットスイッチ装置１００が未使用状態と判断し、電源供給を抑制し低消費電力を実現する。またパケットスイッチ装置１００が未使用状態から使用状態に移行した場合においても、対向するパケットスイッチ装置との接続または接続遮断状態（例えば、光入力状態やパケット同期信号受信状態）を監視し、スイッチ部１４０、第1及び第２アクセス管理部１３１、１３２の電源供給の抑制を解除、第１及び第２受信部１１１、１１２からの出力を実施（例えば、光出力やパケット同期信号送出）することにより電源供給を復旧させる。
またポート単位の電源供給の抑制及び解除、装置全体の電源供給の抑制及び解除を段階的に実施することにより低消費電力を実現する。
以下、図面を参照してパケットスイッチ装置及び電源供給制御方法の具体的な実施形態について説明する。
【００２０】
実施形態１．
図２は、本発明の一実施形態によるパケットスイッチにおける電源供給抑制方式の構成を示す構成図である。図２では、スイッチ装置Ａ〜Ｄの４つのパケットスイッチ装置を示しているが、スイッチ装置Ａ、Ｂについて詳細な構成を示している。以下、スイッチ装置Ａを用いて構成例を説明するが、スイッチＢ〜Ｄについてもスイッチ装置Ａと同様の構成を有する。
【００２１】
［構成の説明］
図２のスイッチ装置Ａにて各ブロック構成を説明する。本構成図は２×２ポートのスイッチ装置例である。スイッチ装置Ａは、Ｏ／Ｅ部１ａ、１ｂ、Ｅ／Ｏ部２ａ、２ｂ、ＰＨＹ／ＭＡＣ部３ａ、３ｂ、スイッチ部４、電源制御部６を備える。スイッチ部４は、ポート１メモリ領域４ａとポート２メモリ領域４ｂを有する。
【００２２】
Ｏ／Ｅ部１ａは、ポート１側の光信号ｋを電気信号に変換する。
Ｅ／Ｏ部１ａは、ポート１側へ送出する電気信号を光信号に変換する。
ＰＨＹ／ＭＡＣ部３ａは、ＭＤＩ（媒体依存インターフェース）からＭＩＩ（媒体に依存しないインターフェース）に変換する機能と媒体アクセス制御を行う。
【００２３】
Ｏ／Ｅ部１ｂは、ポート２側の光信号ｐを電気信号に変換する。
Ｅ／Ｏ部１ｂは、ポート２側へ送出する電気信号を光信号に変換する。
ＭＤＩ（媒体依存インターフェース）からＭＩＩ（媒体に依存しないインターフェース）に変換する機能と媒体アクセス制御を行うＰＨＹ／ＭＡＣ部３ｂと
スイッチ部４は、ＰＨＹ／ＭＡＣ部３ａ、３ｂで抽出した情報に従いパケットのスイッチングを行う。
ポート１メモリ領域４ａ、４ｂは、スイッチ部４の内部に搭載する出力ポート先単位にパケットを格納するメモリ領域である。ポート１メモリ領域４ａは、出力ポート先単位としてポート１に送信するパケットを格納する。ポート２メモリ領域４ｂは、出力ポート先単位としてポート２に送信するパケットを格納する。
【００２４】
電源制御部６は、スイッチ装置Ａ内、及びポートを介してパケットを送受信する他のスイッチ装置について、電源供給を制御する。具体的には、ポート１とポート２それぞれについて次の機能を搭載する。
ポート１について
・ポート１メモリ領域４ａにパケットが蓄積されていない状態を知らせる信号ｊをスイッチ部４から受信した時、ポート１側に停止パケットを送出する信号ｓを送出する機能。
・信号ｖにて停止パケットを受信した時、ポート１メモリ領域４ａのパケット蓄積状態を確認し蓄積パケットがない場合、電気信号を光信号に変換するＥ／Ｏ部２ａに対し光出力停止信号ｃを送出する機能。
・Ｏ／Ｅ部１ａにて光断信号ａを受信した時、ＰＨＹ／ＭＡＣ部３ａの電源供給を抑制するリセット信号ｅを送出する機能。
で構成される。
【００２５】
ポート２について
・ポート２メモリ領域４ｂにパケットが蓄積されていない状態を知らせる信号ｈをスイッチ部４から受信した時、ポート２側に停止パケットを送出する信号ｔを送出する機能。
・信号ｕにて停止パケットを受信した時、ポート２メモリ領域４ｂのパケット蓄積状態を確認し蓄積パケットがない場合、電気信号を光信号に変換するＥ／Ｏ部２ｂに対し光出力停止信号ｄを送出する機能。
・Ｏ／Ｅ部１ｂにて光断信号ｂを受信した時、ＰＨＹ／ＭＡＣ部３ｂの電源供給を抑制するリセット信号ｆを送出する機能。
ここで、停止パケットは、ポートを介してパケットを送受信するパケットスイッチ装置へパケットの送信が停止されることを通知するパケットである。パケットスイッチ装置は、停止パケットを受信すると、電源供給抑制の処理（電源供給抑制の可否、電源供給抑制の実行等）を開始する。
さらに、電源制御部６は、電源供給を抑制するリセット信号ｅ、ｆが両信号ともリセット状態の場合、スイッチ部４に電源供給を抑制するリセット信号ｇの出力を行う機能を搭載する。
【００２６】
図２の構成要素は、図１の構成要素と次のように対応している。Ｏ／Ｅ部１ａ、１ｂは、第１及び第２受信部１１１，１１２に、Ｅ／Ｏ部２ａ、２ｂは、第１及び第２送信部１２１、１２２に、ＰＨＹ／ＭＡＣ部３ａ、３ｂは、第１及び第２アクセス制御部１３１、１３２に、スイッチ部４は、スイッチ部１４０に、電源制御部６は、電源制御部１６０に対応する。
【００２７】
［動作の説明］
図３は、実施形態１の電源供給抑制時の動作例を示すフローチャートである。動作の説明では、図２の構成例において、スイッチ装置Ｃ→スイッチ装置Ｂ（ポート２受信）→スイッチ装置Ｂ（ポート１送信）→スイッチ装置Ａ（ポート１受信）→スイッチ装置Ａ（ポート２送信）→スイッチ装置Ｄに順序でパケットが導通している状態を一例として用いる。このような状態において、スイッチ装置Ｃからのパケット送出が停止した場合ついて、図３を参照して電源供給抑制時の動作を説明する。
【００２８】
パケット導通時（通常動作時）、スイッチ装置Ｃからスイッチ装置Ｂのポート２にパケットが入力されると、スイッチ装置Ｂでは、ポート１メモリ領域４ａにパケットを蓄積し、スイッチ装置Ａ側に出力する。パケットがスイッチ装置Ａ側に送出されると、スイッチ装置Ｂのスイッチ部４は、ポート１メモリ領域４ａに格納したパケットを削除する。このため、スイッチ部４のポート１メモリ領域４ａ、ポート２メモリ領域４ｂには、出力前のパケットが格納される。スイッチ部４は、所定の時間毎にポート１メモリ領域４ａ、ポート２メモリ領域４ｂに出力前のパケットが格納されているか、状態確認する（例えば、図３のＳ１２）。
【００２９】
スイッチ装置Ｃからのパケットの出力が停止した場合、ポート２メモリ領域４ｂに格納したパケットを送出すると、スイッチ装置Ｂのポート２でパケット未受信状態になる（Ｓ１１）。本状態が継続した場合、言い換えると新たにパケットを受信しない場合、スイッチ部４がポート１メモリ領域４ａの状態を確認すると（Ｓ１２）、スイッチ装置Ｂのポート１メモリ領域４ａが空になっていることを検出する（Ｓ１３、ＹＥＳ）。スイッチ部４は、ポート１メモリ領域４ａが空になるまで、ステップＳ１２、Ｓ１３の処理を繰り返す（Ｓ１３、ＮＯ）。ポート１に対し、停止パケットを送出する（Ｓ１４）。具体的には、スイッチ部４が信号ｊを電源制御部６へ出力する。電源制御部６は、信号ｊを受けると、信号ｓをポート１ＰＨＹ／ＭＡＣ部３ａへ出力する。ポート１ＰＨＹ／ＭＡＣ部３ａは、信号ｓを受けると、停止パケットをＥ／Ｏ部２ａに出力し、Ｅ／Ｏ部２ａは、停止パケットをポート１を介してスイッチ装置Ａへ送信する。上述したように、信号ｊは、ポート１メモリ領域４ａにパケットが蓄積されていない状態を通知する信号であり、信号ｓは、ポート１側に停止パケットを送出することを指示する信号である。
【００３０】
スイッチ装置Ａは停止パケットを受信すると（Ｓ２１）、自装置のポート１メモリ領域４ａの状態を検出する（Ｓ２２）。蓄積パケットがない場合（送受転送パケットがない状態）（Ｓ２３、ＹＥＳ）、スイッチ装置ＡのＥ／Ｏ部２ａの光出力を停止する（Ｓ２４）。具体的には、電源制御部６は、信号ｖを受信すると、信号ｊによって蓄積パケットの有無を確認する。蓄積パケットが無い場合には、電源制御部６は、信号ｃをＥ／Ｏ部２ａに出力する。蓄積パケットがある場合には（Ｓ２３、ＮＯ）、蓄積パケットがなくなるまでステップＳ２２、Ｓ２３の処理を繰り返す。Ｅ／Ｏ部２ａは、信号ｃの受信に応じて、光出力を停止する。上述したように、信号ｖは、停止パケットの受信を通知する信号であり、信号ｃは、光出力を停止することを通知する信号である。
【００３１】
スイッチ装置ＡのＥ／Ｏ部２ａの光出力停止に応じて、スイッチ装置Ｂが光入力断を検出すると（Ｓ１５）、Ｅ／Ｏ部１ａは光出力を停止し（Ｓ１６）、電源制御部６は、ポート１ＰＨＹ／ＭＡＣ部にリセットを実施し電源供給の抑制を実施する（Ｓ１７）。具体的には、Ｅ／Ｏ部１ａは、光入力断を検出すると、信号ａを電源制御部６へ出力する。電源制御部６は、信号ａの受信に応じて、ポート１ＰＨＹ／ＭＡＣ部３ａに信号ｅを出力する。ポート１ＰＨＹ／ＭＡＣ部３ａは、信号ｅの受信に応じて、電源供給が抑制される。上述したように、信号ｅは、ポート１ＰＨＹ／ＭＡＣ部３ａにリセットを通知する信号である。
また対向側のスイッチ装置Ａ側のＯ／Ｅ部１ａでも光入力断を検出し、ポート１ＰＨＹ／ＭＡＣ部３ａにリセットを実施し電源供給の抑制を行う（Ｓ２６）。
【００３２】
スイッチ装置Ｄ→スイッチ装置Ａ（ポート２受信）→スイッチ装置Ａ（ポート１送信）→スイッチ装置Ｂ（ポート１受信）→スイッチ装置Ｂ（ポート２送信）→スイッチ装置Ｃに順序で導通するパケットがない場合も上述した動作と同様である。例えば、スイッチ装置Ｄからのパケット送出が停止すると、スイッチ装置Ａとスイッチ装置Ｂとのポート２側の光出力が停止され、ポート２ＰＨＹ／ＭＡＣ部にリセットを実施し電源供給の抑制を実施される。その結果、スイッチ装置Ａ及びスイッチ装置Ｂにおいて、ポート２がスタンバイ状態になる。
スイッチ装置Ａ、スイッチ装置Ｂともポート１及びポート２がスタンバイ状態（リセット状態）の場合（Ｓ１８及びＳ２７、ＹＥＳ）、両スイッチ装置のスイッチ部４の電源供給を抑制する（Ｓ１９、Ｓ２８）。
【００３３】
次に電源供給を抑制した後、通常の電源供給に復旧する動作について説明する。図４は、実施形態１の電源供給復旧時の動作例を示すフローチャートである。図２の構成例において、スイッチ装置Ｃ→スイッチ装置Ｂ（ポート２受信）→スイッチ装置Ｂ（ポート１送信）→スイッチ装置Ａ（ポート１受信）→スイッチ装置Ａ（ポート２送信）→スイッチ装置Ｄに順序でパケット送出が再開した場合ついて図４を参照して電源供給復旧時の動作について説明する。
スイッチ装置Ｂにおいて、ポート２側のＯ／Ｅ部１ｂの光入力断状態を確認し（Ｓ４１）、ポート２の光入力断が回復すると（Ｓ４２、ＹＥＳ）、スイッチ部４は、ポート２メモリ領域の状態が空状態（パケット蓄積なし）から蓄積あり状態に移行したことを電源制御部６に通知し、電源制御部６は、スイッチ部４の電源供給の抑制を解除する（Ｓ４３）。さらに、電源制御部６がポート２ＰＨＹ／ＭＡＣ部３ｂの電源供給の抑制解除、Ｅ／Ｏ部２ｂの光出力開始（Ｓ４４）することにより、スイッチ装置Ｃとスイッチ装置Ｂ間のポート２側のリンクを確立する。その結果、スイッチ装置Ｃからスイッチ装置Ｂへパケットが送出されスイッチＢ装置のポート１メモリ領域４ａにパケットが蓄積される。
【００３４】
スイッチ装置Ａにおいて、ポート１側のＯ／Ｅ部１ａの光入力断状態を確認し（Ｓ５１）、ポート１の光入力断が回復すると（Ｓ５２、ＹＥＳ）、スイッチ部４は、ポート１メモリ領域の状態が空状態（パケット蓄積なし）から蓄積あり状態に移行したことを電源制御部６に通知し、電源制御部６は、スイッチ部４の電源供給の抑制を解除する（Ｓ５３）。さらに、電源制御部６は、ポート１ＰＨＹ／ＭＡＣ部３ａの電源供給の抑制を解除、Ｅ／Ｏ部１ａの光出力開始を実施し（Ｓ５４）、スイッチ装置Ｂとスイッチ装置Ａ間のポート１側のリンクを確立する。このようにして、スイッチ装置Ａでも実施され電源復旧動作が実施される。
スイッチ部４のポート１メモリ領域４ａ及びポート２メモリ領域４ｂのパケットの蓄積状態及び停止パケットの送出および検出、光入力状態の検出を行い、パケット導通状態を判断し、判断した結果から未使用箇所の回路を停止し省電力を実現する。
【００３５】
以上説明したように、スイッチ部４のポート１メモリ領域４ａ及びポート２メモリ領域４ｂのパケットの蓄積状態（図３、Ｓ１４）と停止パケットの受信（図３、Ｓ２１）、光入力状態（図３、Ｓ２５）からパケットスイッチ装置が未使用状態と判断し、電源供給を抑制し低消費電力を実現する。またパケットスイッチ装置が未使用状態から使用状態に移行した場合においても、光入力状態（図４、Ｓ４１）を監視し、スイッチ部４、ＰＨＹ／ＭＡＣ部３ａ、３ｂの電源供給の抑制を解除、光出力を実施（図４、Ｓ４３、Ｓ５３）することにより電源供給を復旧させる。またポート単位の電源供給の抑制及び解除、装置全体の電源供給の抑制及び解除を段階的に実施することにより低消費電力を実現する。
【００３６】
実施形態２．
実施形態１では、パケットスイッチ装置が光信号と電気信号とを変換する場合の構成例を示したが、本実施形態では、伝送路側電気信号と装置内電気信号とを変換する場合の構成例を説明する。
図５のスイッチ装置Ａにて各ブロック構成を説明する。本構成図は２×２ポートのスイッチ装置例です。スイッチ装置Ａは、Ｅ／Ｅ受信部１０ａ、１０ｂ、Ｅ／Ｅ送信部２０ａ、２０ｂ、ＰＨＹ／ＭＡＣ部３ａ、３ｂ、スイッチ部４、電源制御部６０を備える。スイッチ部４は、ポート１メモリ領域４ａとポート２メモリ領域４ｂを有する。図２と同じ符号をつけた構成要素は同様であるため説明を省略する。
Ｅ／Ｅ受信部１０ａは、ポート１側の伝送路側電気信号ｋを装置内電気信号に変換する。
Ｅ／Ｅ送信部２０ａは、ポート１側の装置内電気信号を伝送路側電気信号に変換する。
Ｅ／Ｅ受信部１０ｂは、ポート２側の伝送路側電気信号ｐを装置内電気信号に変換する。
Ｅ／Ｅ送信部２０ｂは、ポート２側の装置内電気信号を伝送路側電気信号に変換する。
【００３７】
電源制御部６０は、スイッチ装置Ａ内、及びポートを介してパケットを送受信する他のスイッチ装置について、電源供給を制御する。具体的には、ポート１とポート２それぞれについて次の機能を搭載する。
ポート１について
・ポート１メモリ領域４ａにパケットが蓄積されていない状態を知らせる信号ｊを受信した時、ポート１側に停止パケットを送出する信号ｓを送出する機能。
・信号ｖにて停止パケットを受信した時、ポート１メモリ領域４ａのパケット蓄積状態を確認し蓄積パケットがない場合、装置内電気信号を伝送路側電気信号に変換するＥ／Ｅ部２０ａに対しパケット同期パターン送出停止信号ｃを送出する機能。
・Ｅ／Ｅ受信部１０ａにてパケット同期はずれ信号ａを受信した時、ＰＨＹ／ＭＡＣ部３ａの電源供給を抑制するリセット信号ｅを送出する機能。
【００３８】
ポート２について
・ポート２メモリ領域４ｂにパケットが蓄積されていない状態を知らせる信号ｈを受信した時、ポート２側に停止パケットを送出する信号ｔを送出する機能。
・信号ｕにて停止パケットを受信した時、ポート２メモリ領域４ｂのパケット蓄積状態を確認し蓄積パケットがない場合、装置内電気信号を伝送側電気信号に変換するＥ／Ｅ送信部２０ｂに対しパケット同期パターン停止信号ｄを送出する機能。
・Ｅ／Ｅ受信部１０ｂにてパケット同期はずれ信号ｂを受信した時、ＰＨＹ／ＭＡＣ部３ｂの電源供給を抑制するリセット信号ｆを送出する機能。
さらに、電源制御部６は、電源供給を抑制するリセット信号ｅ、ｆが両信号ともリセット状態の場合スイッチ部４に電源供給を抑制するリセット信号ｇの出力を行う機能を搭載する。
【００３９】
動作については、実施形態１と同様であるため、説明を省略する。
本実施形態においても、実施形態１と同様の効果を奏することができる。
【００４０】
以上のように、上記各実施形態によれば、次の有利の効果を奏する。
第１の効果は、パケットスイッチ装置の省電力を実現する。
その理由は、パケット導通のないポートは、該当ポートのＰＨＹ／ＭＡＣ部の機能停止を実施し、省電力を実現する。さらに全ポートにパケット導通がない場合、スイッチ部も停止し、装置全体の省電力を実現する。
さらに、上記各実施形態では、該当ポートの入出力パケットが一定時間導通がない状態が続いた場合に省電力状態に移行するのではなく、リンク状態の送信側の出力パケットがない場合、停止パケットを送出して対向装置に出力パケットがないことを通知する。このとき、対向装置に対し停止パケット連続送出するため、対向装置は、最初に停止パケットを受信したタイミングでは送出するパケットを保持していたとしても、送出するパケットがなくなったタイミングにおいても停止パケットを受信することが可能になる。対向装置では、停止パケットを受信すると、受信側の光出力や同期パターンの送出を停止する事により、短時間で省電力状態に移行でする。省電力状態もポート単位の電源供給抑制から、スイッチ部の電源供給抑制までの２ステップにて実現しているため、省電力効果も大きくすることができるという有利な効果を奏する。
【００４１】
第２の効果は、オートネゴシエーションを有するＥｔｈｅｎｅｔ伝送においても対応可能である。
その理由は、自装置側のパケット導通と対向装置のパケット導通の状態をスイッチ部内部のパケット蓄積状態を監視し判断する。判断結果から電源供給の制御を実施する。言い換えると、パケットスイッチ装置に通過するパケットの状態をハードウェア処理にて判断しているため、電源供給の抑制や解除を自動的に実施することが可能になる。これにより、操作性が向上する。
【００４２】
なお、本発明は上記実施の形態に限られたものではなく、趣旨を逸脱しない範囲で適宜変更することが可能である。例えば、本発明は、以下の形態をとることが可能である。
【００４３】
（付記１）
第１ポートを介してパケットを受信する第１受信部と、
前記第１ポートを介してパケットを送信する第１送信部と、
第２ポートを介してパケットを受信する第２受信部と、
前記第２ポートを介してパケットを送信する第２送信部と、
前記第１ポートを介して送受信するパケットのアクセスを管理する第１アクセス管理部と、
前記第２ポートを介して送受信するパケットのアクセスを管理する第２アクセス管理部と、
前記第１アクセス管理部のアクセス管理に基づいて、前記第１受信部が受信したパケットを前記第２送信部へ送り、前記第２アクセス管理部のアクセス管理に基づいて、前記第２受信部が受信したパケットを前記第１送信部へ送るように処理するスイッチ部と、
前記第１ポートを介して送信されるパケットがないことを検出すると、前記第１ポートについて、電源供給を抑制する制御を実施し、前記第２ポートを介して送信されるパケットがないことを検出すると、前記第２ポートについて、電源供給を抑制する制御を実施する電源制御部と、を備えるパケットスイッチ装置。
【００４４】
（付記２）
前記スイッチ部は、
前記第１ポートを介して受信するパケットを格納する第１ポートメモリ領域と、
前記第２ポートを介して受信するパケットを格納する第２ポートメモリ領域と、
を有し、
前記電源制御部は、
前記第１ポートメモリ領域に格納されるパケットの有無に応じて、前記第１ポートを介して送信されるパケットがないことを検出し、
前記第２ポートメモリ領域に格納されるパケットの有無に応じて、前記第２ポートを介して送信されるパケットがないことを検出することを特徴とする付記１記載のパケットスイッチ装置。
【００４５】
（付記３）
前記電源制御部は、
前記第１ポートメモリ領域にパケットが格納されてないことを検出すると、前記パケット送信を停止することを通知する停止パケットを前記第１送信部から送信させ、その後、前記第１受信部と、前記第１ポートを介して対向する第１装置との接続が遮断されたことを検出すると、前記第１アクセス管理部への電源供給を停止させるように制御し、
前記第２ポートメモリ領域にパケットが格納されてないことを検出すると、前記停止パケットを前記第２送信部から送信させ、前記第２受信部と、前記第２ポートを介して対向する第２装置との接続が遮断されたことを検出すると、前記第２アクセス管理部への電源供給を停止させるように制御することを特徴とする付記２記載のパケットスイッチ装置。
【００４６】
（付記４）
前記電源制御部は、
前記第１装置から前記停止パケットを受信すると、前記第１ポートを介した前記第１送信部と前記第１装置との接続を遮断するように制御し、
前記第２装置から前記停止パケットを受信すると、前記第２ポートを介した前記第２送信部と前記第２装置との接続を遮断するように制御することを特徴とする付記３記載のパケットスイッチ装置。
【００４７】
（付記５）
前記電源制御部は、
前記第１送信部と前記第１装置との接続の遮断を、前記第１ポートメモリ領域に格納するパケットを送信した後に実施するように制御し、
前記第２送信部と前記第２装置との接続の遮断を、前記第２ポートメモリ領域に格納するパケットが送信された後に実施するように制御することを特徴とする付記４記載のパケットスイッチ装置。
【００４８】
（付記６）
前記電源制御部は、
前記第１送信部と前記第１装置との接続を遮断した後、前記第１受信部と前記第１装置との接続が遮断されたことを検出すると、前記第１アクセス管理部の電源供給が停止させるように制御し、
前記第２送信部と前記第２装置との接続を遮断した後、前記第２受信部と前記第２装置との接続が遮断されたことを検出すると、前記第２アクセス管理部の電源供給を停止させるように制御することを特徴とする付記５記載のパケットスイッチ装置。
【００４９】
（付記７）
前記電源制御部は、前記第１アクセス管理部と前記第２アクセス管理部とへの電源供給が停止されていることを検出すると、前記スイッチ部への電源供給を停止することを特徴とする付記３乃至６のいずれか一つに記載のパケットスイッチ装置。
【００５０】
（付記８）
電源制御部は、
前記第１ポートについて電源供給を抑制する制御が実施された後、前記第１受信部がパケットを受信したことを検出すると、前記第１ポートについて電源供給の抑制を解除し、
前記第２ポートについて電源供給を抑制する制御が実施された後、前記第２受信部がパケットを受信したことを検出すると、前記第２ポートについて電源供給の抑制を解除し、
前記電源供給の抑制解除には、スイッチ部への電源供給の抑制の解除を含むことを特徴とする付記１乃至７記載のパケットスイッチ装置。
【００５１】
（付記９）
前記第１及び第２送信部は、光信号を送信する受信部であり、
前記接続の遮断は、前記第１及び第２送信部から光出力を停止することを特徴とする付記４乃至８のいずれか一つに記載のパケットスイッチ装置。
【００５２】
（付記１０）
前記第１及び第２送信部は、伝送側電気信号を送信する受信部であり、
前記接続の遮断は、前記第１及び第２送信部からパケット同期信号送出を停止することを特徴とする付記４乃至８のいずれか一つに記載のパケットスイッチ装置。
【００５３】
（付記１１）
前記第１及び第２装置は、自装置と同様の構成を有するパケットスイッチ装置であり、
自装置の前記第１受信部と前記第１装置との接続の遮断は、前記第１装置が有する第１送信部から前記光出力を停止することであり、
自装置の前記第２受信部と前記第２装置との接続の遮断は、前記第２装置が有する第２送信部から前記光出力を停止することを特徴とする付記９記載のパケットスイッチ装置。
【００５４】
（付記１２）
前記第１及び第２装置は、自装置と同様の構成を有するパケットスイッチ装置であり、
自装置の前記第１受信部と前記第１装置との接続の遮断は、前記第１装置が有する第１送信部から前記パケット同期信号送出を停止することであり、
自装置の前記第２受信部と前記第２装置との接続の遮断は、前記第２装置が有する第２送信部から前記パケット同期信号送出を停止することを特徴とする付記１０記載のパケットスイッチ装置。
【００５５】
（付記１３）
第１ポートを介して受信したパケットを第２ポートから送信し、第２ポートを介して受信したパケットを第１ポートから送信するパケットスイッチ装置の電源供給制御方法であって、
前記第１ポートを介して送信されるパケットがないことを検出すると、前記第１ポートについて電源供給を抑制する制御を実施し、前記第２ポートを介して送信されるパケットがないことを検出すると、前記第２ポートについて電源供給を抑制する制御を実施する電源供給制御方法。
【００５６】
（付記１４）
前記パケットスイッチ装置は、
前記第１ポートを介して受信するパケットを格納する第１ポートメモリ領域と、
前記第２ポートを介して受信するパケットを格納する第２ポートメモリ領域と、を有し、
前記第１ポートを介して送信されるパケットがないことの検出は、前記第１ポートメモリ領域に格納されるパケットの有無に応じて判定し、
前記第２ポートを介して送信されるパケットがないことの検出は、前記第２ポートメモリ領域に格納されるパケットの有無に応じて判定することを特徴とする付記１３記載の電源供給制御方法。
【００５７】
（付記１５）
前記電源制御部は、
前記第１ポートについての電源供給の抑制は、
前記第１ポートメモリ領域にパケットが格納されてないことを検出すると、前記パケット送信を停止することを通知する停止パケットを前記第１ポートから送信し、
前記第１ポートを介して前記パケットスイッチ装置と対向する第１装置との接続が遮断されたことを検出すると、前記第１ポートを介して受信したパケットを処理する手段への電源供給を停止し、
前記第２ポートについての電源供給の抑制は、
前記第２ポートメモリ領域にパケットが格納されてないことを検出すると、前記パケット送信を停止することを通知する停止パケットを前記第２ポートから送信し、
前記第２ポートを介して前記パケットスイッチ装置と対向する第２装置との接続が遮断されたことを検出すると、前記第２ポートを介して受信したパケットを処理する手段への電源供給を停止することを特徴とする付記１４記載の電源供給制御方法。
【００５８】
（付記１６）
前記第１ポートについての電源供給の抑制は、
前記第１ポートについて電源供給を抑制する制御が実施された後、前記第１ポートがパケットを受信したことを検出すると、前記第１ポートについて電源供給の抑制を解除し、
前記第２ポートについての電源供給の抑制は、
前記第２ポートについて電源供給を抑制する制御が実施された後、前記第２ポートがパケットを受信したことを検出すると、前記第２ポートについて電源供給の抑制を解除することを特徴とする付記１３乃至１５記載のいずれか一つのパケットスイッチ装置。
【００５９】
なお、本発明は上記に示す実施形態に限定されるものではない。本発明の範囲において、上記実施形態の各要素を、当業者であれば容易に考えうる内容に変更、追加、変換することが可能である。
【符号の説明】
【００６０】
１ａ、１ｂ  Ｏ／Ｅ部
２ａ、２ｂ  Ｅ／Ｏ部
３ａ、３ｂ  ＰＨＹ／ＭＡＣ部
４、１４０  スイッチ部
４ａ  ポート１メモリ領域
４ｂ  ポート２メモリ領域
６、１６０  電源制御部
１００  パケットスイッチ装置
１１１  第１受信部  
１１２  第２受信部
１２１  第１送信部
１２２  第２送信部
１３１  第１アクセス管理部
１３２  第２アクセス管理部
１４１  第１ポートメモリ領域
１４２  第２ポートメモリ領域
ａ、ｂ  光入力断信号
ｃ、ｄ  光出力停止信号
ｅ、ｆ  ＰＨＹ／ＭＡＣ部リセット信号
ｇ  スイッチ部リセット信号
ｓ、ｔ  停止パケット送出信号
ｕ、ｖ  停止パケット受信信号
ｈ、ｊ  パケット蓄積情報信号
ｋ、ｐ  パケット伝送信号
ｒ  装置外部供給電源信号
【図１】
2014049790.tif 000003
【図２】
2014049790.tif 000004
【図３】
2014049790.tif 000005
【図４】
2014049790.tif 000006
【図５】
2014049790.tif 000007
【図６】
2014049790.tif 000008